(57)【要約】【課題】常に給水ポンプを作動させることなく、より確実に循環回路内の湯水の凍結を防止できるようにする。【解決手段】温度検出開始条件を満たしたと判定されたときに、給水ポンプ７を作動させて湯水循環回路４を循環する湯水の温度検出を実施する（Ｓ４０）。湯水循環回路４から所定を上回る放熱による湯水循環回路４内の湯水の凍結の可能性があるか否かを判定し（Ｓ２０〜Ｓ２５）、凍結の可能性があると判定された場合、湯水の温度検出が実施され易くなるよう温度検出開始条件を変更する（Ｓ２６）。【選択図】図４
2019184132.tif 000002
【特許請求の範囲】
【請求項１】
湯水を加熱する熱源機（６）と、
前記熱源機で加熱された湯水を貯留するとともに所定の給水箇所に前記湯水を供給するための貯湯槽（９）と、
前記熱源機で加熱された前記湯水を前記貯湯槽に循環供給する給水ポンプ（７）と、
前記熱源機より流出した前記湯水を、前記貯湯槽を経て再び前記熱源機に戻すための湯水循環回路（４）と、
前記湯水循環回路を循環する前記湯水の温度を検出する循環水温度検出部（４１）と、
前記湯水循環回路から所定を上回る放熱による前記湯水循環回路内の湯水の凍結の可能性があるか否かを判定する凍結可能性判定部（Ｓ２０〜Ｓ２５）と、
温度検出開始条件を満たしたか否かを判定する開始条件判定部（Ｓ１０）と、
前記開始条件判定部により前記温度検出開始条件を満たしたと判定されたときに、前記給水ポンプを作動させて前記循環水温度検出部による前記湯水循環回路を循環する前記湯水の温度検出を実施する循環水温検出部（Ｓ４０）と、
前記凍結可能性判定部により前記湯水循環回路から所定を上回る放熱による前記湯水循環回路内の湯水の凍結の可能性があると判定された場合、前記循環水温検出部による前記湯水の温度検出が実施され易くなるよう前記温度検出開始条件を変更する条件変更部（Ｓ２６）と、を備えた貯湯式給湯機。
【請求項２】
外気温度を検出する外気温度検出部（４２）を備え、
前記開始条件判定部は、前記外気温度検出部により検出された前記外気温度が外気温度判定閾値以下であることと、前記循環水温度検出部により検出された前記湯水循環回路を循環する前記湯水の温度が循環水温判定閾値以下であることの少なくとも一方を前記温度検出開始条件として、前記温度検出開始条件を満たしたか否かを判定する請求項１に記載の貯湯式給湯機。
【請求項３】
前記条件変更部は、前記外気温度判定閾値および前記循環水温判定閾値の少なくとも一方の閾値を大きくするよう補正する請求項２に記載の貯湯式給湯機。
【請求項４】
湯水を加熱する熱源機（６）と、
前記熱源機で加熱された湯水を貯留するとともに所定の給水箇所に前記湯水を供給するための貯湯槽（９）と、
前記熱源機で加熱された前記湯水を前記貯湯槽に循環供給する給水ポンプ（７）と、
前記熱源機より流出した前記湯水を、前記貯湯槽を経て再び前記熱源機に戻すための湯水循環回路（２３）と、
前記湯水循環回路を循環する前記湯水の温度を検出する温度検出部（４１）と、
所定時間間隔毎に、前記給水ポンプを作動させて前記循環水温度検出部による前記湯水循環回路を循環する前記湯水の温度検出を実施する循環水温検出部（Ｓ４０、Ｓ３５）と、前記湯水循環回路から所定を上回る放熱による前記湯水循環回路内の湯水の凍結の可能性があるか否かを判定する凍結可能性判定部（Ｓ２４〜Ｓ２５、Ｓ３５）と、を備え、
前記循環水温検出部は、前記凍結可能性判定部により前記湯水循環回路から所定を上回る放熱による前記湯水循環回路内の湯水の凍結の可能性があると判定された場合、前記所定時間間隔を短くするよう補正して前記循環水温度検出部による前記湯水循環回路を循環する前記湯水の温度検出を実施する貯湯式給湯機。
【請求項５】
前記凍結可能性判定部は、外気温度を周期的に収集し、単位時間当たりの前記外気温度の低下量が所定値以上となった場合、前記湯水循環回路から所定を上回る放熱による前記湯水循環回路内の湯水の凍結の可能性があると判定する請求項１ないし４のいずれか１つに記載の貯湯式給湯機。
【請求項６】
前記循環水温検出部により検出された前記湯水循環回路を循環する前記湯水の温度を記憶部に記憶させる温度記憶部（Ｓ３１）と、
前記記憶部に記憶された前記湯水循環回路を循環する前記湯水の温度を用いて、今回、前記循環水温検出部により検出された前記湯水循環回路を循環する前記湯水の温度が、前回、前記循環水温検出部により検出された前記湯水循環回路を循環する前記湯水の温度よりも所定温度以上低いか否かを判定する判定部（Ｓ３４）と、を備え、
前記凍結可能性判定部は、前記判定部により、今回、前記循環水温検出部により検出された前記湯水循環回路を循環する前記湯水の温度が、前回、前記循環水温検出部により検出された前記湯水循環回路を循環する前記湯水の温度よりも所定温度以上低いと判定された場合、前記湯水循環回路から所定を上回る放熱による前記湯水循環回路内の湯水の凍結の可能性があると判定する請求項５に記載の貯湯式給湯機。
【請求項７】
外気と熱媒体との熱交換を行う熱交換器（１２）に向けて外気を送風する送風ファン（１４）と、
前記送風ファンを回転駆動しない状態で前記送風ファンの回転数を検出するファン回転数検出部（Ｓ２４）と、を備え、
前記凍結可能性判定部は、前記ファン回転数検出部により検出された前記ファンの回転数が所定値以上である場合、前記湯水循環回路から所定を上回る放熱による前記湯水循環回路内の湯水の凍結の可能性があると判定する請求項１ないし６のいずれか１つに記載の貯湯式給湯機。
【発明の詳細な説明】
【技術分野】
【０００１】
本発明は、貯湯式給湯機に関するものである。
【背景技術】
【０００２】
従来、特許文献１に記載された貯湯式給湯機がある。この給湯機は、冷媒と水との熱交換によって水を加熱する給湯用熱交換器と、この給湯用熱交換器で生成された湯水を貯留する貯湯槽と、給湯用熱交換器で生成された湯水を貯湯槽に循環させる給水ポンプ等を備えている。
【０００３】
このような装置では、給水ポンプが停止している場合、循環する湯水の温度を精度良く検出することができないため、湯水が凍結するか否かを精度良く判定することができない。常に給水ポンプを動作させることで循環する湯水の温度を精度良く検出することが可能となるが、消費電力が増大してしまい合理的でない。
【０００４】
そこで、特許文献１に記載された給湯機は、外気温度と循環水温が判定条件を満たしているか否かを判定し、判定条件を満たした場合に、給水ポンプを作動させて循環水温を検出する循環水温検出処理を実施するようにしている。さらに、この給湯機は、所定時間が経過したか否かを判定し、所定時間が経過する毎に最低水温を検出する最低水温検出処理を実施するようにしている。
【０００５】
これにより、給水ポンプを常時可動させることなく配管内の循環水温を検出すことが可能となり、電力消費を抑制することが可能となっている。
【先行技術文献】
【特許文献】
【０００６】
【特許文献１】特開２００３−１３９４０５号公報
【発明の概要】
【発明が解決しようとする課題】
【０００７】
しかし、特許文献１に記載された給湯機では、外気温度が急変した場合や、強風が吹き荒れている場合、湯水を循環させる循環回路内の湯水の温度が急低下して給水ポンプを停止している間に循環回路内の湯水が凍結してしまう場合がある。また、配管の長さが仕様よりも長くなっている場合や配管への断熱材の施工が不良となっている場合にも、循環回路内の湯水の温度が急低下して給水ポンプを停止している間に循環回路内の湯水が凍結してしまう場合がある。
【０００８】
このように、配管内の循環水からの放熱が所定よりも進んでしまうと、給水ポンプの停止中に湯水循環回路内の湯水が凍結してしまうといった問題がある。
【０００９】
本発明は上記問題に鑑みたもので、常に給水ポンプを作動させることなく、より確実に湯水循環回路内の湯水の凍結を防止できるようにすることを目的とする。
【課題を解決するための手段】
【００１０】
上記目的を達成するため、請求項１に記載の発明は、湯水を加熱する熱源機（６）と、熱源機で加熱された湯水を貯留するとともに所定の給水箇所に湯水を供給するための貯湯槽（９）と、熱源機で加熱された湯水を貯湯槽に循環供給する給水ポンプ（７）と、熱源機より流出した湯水を、貯湯槽を経て再び熱源機に戻すための湯水循環回路（４）と、湯水循環回路を循環する湯水の温度を検出する循環水温度検出部（４１）と、湯水循環回路から所定を上回る放熱による湯水循環回路内の湯水の凍結の可能性があるか否かを判定する凍結可能性判定部（Ｓ２０〜Ｓ２５）と、温度検出開始条件を満たしたか否かを判定する開始条件判定部（Ｓ１０）と、開始条件判定部により温度検出開始条件を満たしたと判定されたときに、給水ポンプを作動させて循環水温度検出部による湯水循環回路を循環する湯水の温度検出を実施する循環水温検出部（Ｓ４０）と、凍結可能性判定部により湯水循環回路から所定を上回る放熱による湯水循環回路内の湯水の凍結の可能性があると判定された場合、循環水温検出部による湯水の温度検出が実施され易くなるよう温度検出開始条件を変更する条件変更部（Ｓ２６）と、を備えている。
【００１１】
このような構成によれば、凍結可能性判定部により湯水循環回路から所定を上回る放熱による湯水循環回路内の湯水の凍結の可能性があると判定された場合、条件変更部により、循環水温検出部による湯水の温度検出が実施され易くなるよう温度検出開始条件が変更されるので、より確実に循環回路内の湯水の凍結を防止することができる。
【００１２】
また、上記目的を達成するため、請求項４に記載の発明は、湯水を加熱する熱源機（６）と、熱源機で加熱された湯水を貯留するとともに所定の給水箇所に湯水を供給するための貯湯槽（９）と、熱源機で加熱された湯水を貯湯槽に循環供給する給水ポンプ（７）と、熱源機より流出した湯水を、貯湯槽を経て再び熱源機に戻すための湯水循環回路（２３）と、湯水循環回路を循環する湯水の温度を検出する温度検出部（４１）と、所定時間間隔毎に、給水ポンプを作動させて循環水温度検出部による湯水循環回路を循環する湯水の温度検出を実施する循環水温検出部（Ｓ４０、Ｓ３５）と、湯水循環回路から所定を上回る放熱による湯水循環回路内の湯水の凍結の可能性があるか否かを判定する凍結可能性判定部（Ｓ２４〜Ｓ２５、Ｓ３５）と、を備え、循環水温検出部は、凍結可能性判定部により湯水循環回路から所定を上回る放熱による湯水循環回路内の湯水の凍結の可能性があると判定された場合、所定時間間隔を短くなるよう補正して循環水温度検出部による湯水循環回路を循環する湯水の温度検出を実施する。
【００１３】
上記した構成によれば、湯水循環回路から所定を上回る放熱による湯水循環回路内の湯水の凍結の可能性があるか否かを判定し、湯水循環回路から所定を上回る放熱による湯水循環回路内の湯水の凍結の可能性があると判定された場合、所定時間間隔を短くなるよう補正して循環水温度検出部による湯水循環回路を循環する湯水の温度検出を実施するので、常に給水ポンプを作動させることなく、より確実に循環回路内の湯水の凍結を防止することができる。
【００１４】
なお、この欄および特許請求の範囲で記載した各手段の括弧内の符号は、後述する実施形態に記載の具体的手段との対応関係を示すものである。
【図面の簡単な説明】
【００１５】
【図１】貯湯式給湯機のシステム構成を示した図である。
【図２】通常時における配管最低水温、外気サーミスタ温度および実際に外気温度の時間変化について示した図である。
【図３】外気急変時における配管最低水温、外気サーミスタ温度および実際に外気温度の時間変化について示した図である。
【図４】第１実施形態の電子制御ユニットのフローチャートである。
【図５】第１実施形態の電子制御ユニットのフローチャートである。
【図６】配管最低水温、外気サーミスタ温度および実際に外気温度の時間変化について示した図である。
【図７】第２実施形態の電子制御ユニットのフローチャートである。
【図８】強風時における配管最低水温、外気サーミスタ温度および実際に外気温度の時間変化について示した図である。
【図９】第３実施形態の電子制御ユニットのフローチャートである。
【図１０】第４実施形態の電子制御ユニットのフローチャートである。
【図１１】第５実施形態の電子制御ユニットのフローチャートである。
【００１６】
第５実施形態の電子制御ユニットのフローチャートである。
【発明を実施するための形態】
【００１７】
以下、本発明の実施形態について図に基づいて説明する。なお、以下の各実施形態相互において、互いに同一もしくは均等である部分には、図中、同一符号を付してある。
【００１８】
（第１実施形態）
本発明の第１実施形態に係る貯湯式給湯機の構成について図１を用いて説明する。本実施形態の貯湯式給湯機は、ヒートポンプ式給湯機として構成されている。
【００１９】
本実施形態の貯湯式給湯機は、ランニングコスト（料金）の安い夜間電力（深夜電力）を使用して主に夜間に稼働される電気式温水器を構成するもので、湯水を加熱する熱源ユニットとしてのヒートポンプユニット１と、このヒートポンプユニット１によって加熱された湯水（水道水等の利用水）を貯留する貯湯槽９を含む貯湯槽ユニット２と、ヒートポンプユニット１および貯湯槽ユニット２に組み付けられる各アクチュエータを電気的に制御して浴室または台所への給湯温度と風呂の自動湯張り（差し湯）等を自動コントロールする電子制御ユニット（運転制御装置、制御部）１０とを備えている。
【００２０】
ヒートポンプユニット１は、冷媒として臨界温度の低い二酸化炭素（ＣＯ2）を使用するヒートポンプサイクル３、およびこのヒートポンプサイクル３によって加熱された貯湯槽用水（水道水等の給湯用水）を利用する湯水循環回路４に設置された給水ポンプ７とから構成されている。ヒートポンプサイクル３は、電動式のコンプレッサ５、水−冷媒熱交換器６、電気式膨張弁１１および空気熱交換器１２を順次冷媒配管により接続して構成されている。
【００２１】
コンプレッサ５は、内蔵する電動モータ（図示せず）によって回転駆動されて、空気熱交換器１２より吸引した冷媒を一時的に使用条件において臨界圧力以上まで高温・高圧に圧縮して吐出する電動式の冷媒圧縮機である。このコンプレッサ５は、通電（ＯＮ）されると稼働し、通電が停止（ＯＦＦ）されると停止する。また、電気式膨張弁１１は、水−冷媒熱交換器６から流出する冷媒を弁開度に応じて減圧する減圧装置で、電子制御ユニット１０によって弁開度が電気的に制御される。そして、空気熱交換器１２は、電気式膨張弁１１で減圧された冷媒を、空気熱交換器送風用の送風ファン１４によって送風される室外空気との熱交換によって蒸発気化させ、コンプレッサ５にガス冷媒を供給する。その送風ファン１４は、通電（ＯＮ）されると稼働し、通電が停止（ＯＦＦ）されると停止する。
【００２２】
水−冷媒熱交換器６は、本発明の熱源器に相当するもので、コンプレッサ５の吐出口より吐出された高圧側の冷媒によって水を湯に昇温させる熱交換器である。水−冷媒熱交換器６中の高圧側熱交換器２１は、コンプレッサ５の吐出口より吐出された高圧のガス冷媒と湯水とを熱交換する冷媒流路管により構成されている。そして、水−冷媒熱交換器６は、高圧側熱交換器２１の一端面に給湯用熱交換器２２の他端面が熱交換可能に密着するように配置された二層の熱交換構造となっている。その給湯用熱交換器２２は、高圧側熱交換器２１の冷媒入口部から冷媒出口部に至る冷媒流路の全長で冷媒と湯水との熱交換を行うように構成されている。このため、給湯用熱交換器２２の出口部からは、給湯温度（６５℃〜９０℃程度）相当の高温の湯水を取り出すことができ、その高温の湯水を貯湯槽９に供給することができる。
【００２３】
ここで、ヒートポンプサイクル３は、冷媒として例えば臨界温度の低い二酸化炭素（ＣＯ2）等を使用し、高圧側の冷媒圧力が冷媒の臨界圧力以上となる超臨界ヒートポンプサイクルにより構成されている。この超臨界ヒートポンプサイクルでは、高圧側冷媒圧力の上昇により高圧側熱交換器２１の入口部の冷媒温度（コンプレッサ５の吐出冷媒温度）を１２０℃程度まで高めることができる。なお、高圧側熱交換器２１に流入する冷媒は、コンプレッサ５で臨界圧力以上に加圧されているので、高圧側熱交換器２１で放熱しても凝縮液化することはない。
【００２４】
湯水循環回路４は、水−冷媒熱交換器６中の給湯用熱交換器（熱源器）２２、貯湯槽９、三方弁８および給水ポンプ７を順次貯湯用配管により接続して構成された湯水循環回路である。湯水循環回路４は、貯湯槽９を迂回させて循環水を循環させる凍結防止制御時に使用する凍結防止用配管としてのバイパス配管３５を備えている。そして、湯水循環回路４には、給湯用熱交換器２２の出口より流出した湯水を、貯湯槽９を経て給湯用熱交換器２２に循環させる第１循環経路２３と、給湯用熱交換器２２の出口より流出した循環水を、貯湯槽９を迂回して給湯用熱交換器２２に循環させる第２循環経路２４と、貯湯槽９の下部から水道水等の利用水を給水するための給水配管２５と、貯湯槽９の上部から給湯箇所に所望の給湯温度の湯水を給湯するための給湯配管２６とが設けられている。
【００２５】
給水ポンプ７は、後述するヒートポンプ給水配管３１と給湯用熱交換器２２の入口とを接続する往配管３２の途中に設置されている。給水ポンプ７は、内蔵する電動モータ（図示せず）によって回転駆動されて、沸き上げ運転時に、給湯用熱交換器２２内で加熱された湯水を貯湯槽９に還流させるように作動するウォータポンプである。この給水ポンプ７は、通電（ＯＮ）されると稼働し、通電が停止（ＯＦＦ）されると停止する。給湯配管２６は、その途中に温度調整弁（図示せず）が設置されており、貯湯槽９内の湯水を台所、洗面所や浴室等の給湯箇所へ給湯する給湯供給管である。その給湯配管２６の下流端には、台所、洗面台等に設置された蛇口や水栓等の給水栓（図示せず）、あるいは浴室に設置された蛇口や水栓等の給水栓（図示せず）が接続されている。
【００２６】
そして、温度調整弁は、給湯配管２６の途中に設けられて、貯湯槽９内の高温の湯水と、図示しない給水配管からの低温の水道水との混合比率を調整して所望の給湯温度の湯水に調整するものである。この温度調整弁は、上記の混合比率を調整する弁体をモータ等のアクチュエータにより駆動するようになっており、湯水の温度を検出する温度センサ（サーミスタ）の検出温度により弁体位置を自動調整して、湯水の温度が目標温度（目標出湯温度）に維持されるように構成されている。
【００２７】
第１循環経路２３は、給水ポンプ７を運転し、且つ給湯用熱交換器２２への熱量供給を行うことで貯湯槽９内に貯留する湯水を所望の給湯温度に昇温させる沸き上げ運転時に、貯湯槽９内の湯水を、貯湯槽９の下部と第１分岐部２８とを接続するヒートポンプ給水配管３１→第１分岐部２８と給湯用熱交換器２２の入口とを接続する往配管（往復配管）３２→給湯用熱交換器２２→給湯用熱交換器２２の出口と第２分岐部２９とを接続する復配管（往復配管）３３→第２分岐部２９と貯湯槽９の上部とを接続する貯湯槽配管３４→貯湯槽９の順に循環させる経路である。
【００２８】
また、第２循環経路２４は、沸き上げ運転の停止時で、且つ機能部品の効率的な凍結防止を行う凍結防止制御時に、給湯用熱交換器２２内の循環水を、復配管３３→第２分岐部２９と第１分岐部２８とを連通するバイパス配管３５→第１分岐部２８と給湯用熱交換器２２の入口とを連通する往配管３２→給湯用熱交換器２２の順に循環させる経路である。
【００２９】
三方弁８は、ヒートポンプ給水配管３１と往配管３２との間の第１分岐部２８に設けられており、第１入口ポートがヒートポンプ給水配管３１に連通し、第２入口ポートがバイパス配管３５に連通し、出口ポートが往配管３２に連通している。そして、三方弁８は、沸き上げ運転時に通電（ＯＮ）されて、ヒートポンプ給水配管３１から往配管３２へ湯水が流れる第１循環経路２３に切り替える。また、三方弁８は、沸き上げ運転の停止時に通電が停止（ＯＦＦ）されて、バイパス配管３５から往配管３２へ循環水が流れる第２循環経路２４に切り替える。
【００３０】
貯湯槽９は、給湯用熱交換器２２で生成された高温の湯水を一時的に貯留する貯湯タンクである。この貯湯槽９の下部には、水道水等を給水するための給水配管２５に接続する給水入口、および給湯用熱交換器２２に循環水を循環供給するヒートポンプ給水用出口が設けられている。また、貯湯槽９の上部には、給湯用熱交換器２２内で加熱された湯水が流入する入口、および給湯配管２６に接続する出口が設けられている。
【００３１】
電子制御ユニット１０は、ＣＰＵ、ＲＯＭ、ＲＡＭ、Ｉ／Ｏポートの機能を有し、それ自体は周知の構造を持つマイクロコンピュータを内蔵している。なお、ヒートポンプユニット１の水−冷媒熱交換器６中の給湯用熱交換器２２に設置された循環水温度センサ（循環水温度検出部）４１、室外（例えば空気熱交換器１２の空気流れ方向の上流側または下流側）に設置された外気温度センサ（外気温度検出部）４２、コンプレッサ５の吐出口付近に設置された吐出冷媒温度センサ４３等の各種センサからのセンサ信号は、図示しない入力回路によってＡ／Ｄ変換された後に、マイクロコンピュータに入力されるように構成されている。なお、外気温度センサ４２は、外気温度を検出するサーミスタを用いて構成されている。
【００３２】
そして、電子制御ユニット１０は、浴室の壁面および台所の壁面にそれぞれ設置された浴室リモートコントローラ（以下浴室リモコンと呼ぶ：図示せず）および台所リモートコントローラ（以下台所リモコンと呼ぶ：図示せず）や、循環水温度センサ４１、外気温度センサ４２、吐出冷媒温度センサ４３等の各種センサからの信号に基づいて、ヒートポンプユニット１に装着されたコンプレッサ５、給水ポンプ７、電気式膨張弁１１および送風ファン１４を制御すると共に、貯湯槽ユニット２に装着された三方弁８を制御する。
【００３３】
ここで、浴室リモコンおよび台所リモコンには、少なくとも沸き上げ運転の開始および停止を指示する沸き上げ運転スイッチ（図示せず）、浴室内の風呂または台所や洗面所へ給湯する給湯温度を希望の温度に設定する給湯温度設定スイッチ（図示せず）、貯湯槽９内に貯湯する給湯温度を希望の温度に設定する貯湯温度設定スイッチ（図示せず）、風呂の水位を設定する湯量設定スイッチ（図示せず）、優先状態、給湯温度や貯湯温度等を表示する液晶表示装置（図示せず）等が設けられている。
【００３４】
このような貯湯式給湯機では、外気温度が安定し、強風も吹いていない通常時や、配管の施工不良がない場合には、図２に示すように、実際の外気温度が徐々に低下すると、実際の外気温度と同様に、配管最低水温と外気サーミスタ温度が変化する。すなわち、外気サーミスタにより外気温度を正確に計測することができる。
【００３５】
しかし、図３に示すように、外気が急変して実際の外気温度が急低下した場合、実際の外気温度よりも遅れて外気サーミスタ温度が低下する。配管の施工不良がない場合には、実際の外気温度よりもさらに遅れて外気サーミスタ温度が低下する。
【００３６】
したがって、外気サーミスタ温度が０℃以下になる前に、既に配管最低水温が０℃以下となってしまい、湯水循環回路４内の湯水の凍結することが考えられる。
【００３７】
そこで、本実施形態の電子制御ユニット１０は、湯水循環回路４内の湯水の凍結することが防止されるよう、図４〜図５に示した配管凍結防止制御を実施する。
【００３８】
次に、電子制御ユニット１０による配管凍結防止制御について、図４〜図５を用いて説明する。通常沸き上げ運転の停止中に、所定の制御タイミングに入ると、図４および図５の制御ルーチンが起動する。なお、通常沸き上げ運転の停止中には、給水ポンプ７は停止した状態となっている。先ず、電子制御ユニット１０は、外気温度が外気温度判定閾値以下であることと、循環水温度検出部により検出された湯水循環回路を循環する湯水の温度が循環水温判定閾値以下であることの少なくとも一方を温度検出開始条件として、温度検出開始条件を満たしたか否かを判定する（ステップＳ１０）。具体的には、電子制御ユニット１０は、外気温度センサ４２によって検出される外気温度が外気温度判定閾値（ここでは、４℃）以下であるか否かを判定する。あるいは循環水温度センサ４１によって検出される循環水温度（循環水温）が循環水温判定閾値（ここでは、３℃）以下であるか否かを判定する。
【００３９】
この判定結果がＹＥＳの場合、すなわち、温度検出開始条件を満たしている場合、Ｓ４０以下の配管凍結防止制御が開始される。なお、この配管凍結防止制御の詳細については後で説明する。
【００４０】
また、ステップＳ１０の判定結果がＮＯの場合、すなわち、外気温度センサ４２によって検出される外気温度が外気温度判定閾値よりも高く、かつ、循環水温度センサ４１によって検出される循環水温が循環水温判定閾値よりも高い場合には、ステップＳ２０以下の制御が開始される。
【００４１】
このステップＳ２０以下の制御では、湯水循環回路４から所定を上回る放熱による湯水循環回路４内の湯水の凍結の可能性があるか否かを判定する。本実施形態では、外気温度センサ４２からの信号により外気温度Ｔａｍ（Ｔｎ）を検出し（ステップＳ２０）、その後、一定時間が経過したか否かを判定し（ステップＳ２１）、一定時間が経過したと判定されると、再度、外気温度Ｔａｍ’（Ｔｎ＋１）を検出する（ステップＳ２２）。そして、図６に示すように、後で検出した外気温度Ｔａｍ’（Ｔｎ＋１）と、その前に検出した外気温度Ｔａｍ（Ｔｎ）とに基づいて単位時間当たりの外気温度の低下量が閾値よりも大きいか否かを判定する（ステップＳ２３）。ここで、単位時間当たりの外気温度の低下量が閾値よりも大きい場合、湯水循環回路４から所定を上回る放熱による湯水循環回路４内の湯水の凍結の可能性があると判定する。
【００４２】
この判定結果がＹＥＳの場合、すなわち、単位時間当たりの外気温度の低下量が閾値よりも大きい場合には、湯水の温度検出が実施され易くなるよう温度検出開始条件を変更する循環水温判定値補正を行う。具体的には、ステップＳ１０の外気温度判定閾値（ここでは、４℃）に所定値ｃを加算して、外気温度判定閾値を４＋ｃ［℃］に補正する。さらに、ステップＳ１０の循環水温判定閾値（ここでは、３［℃］）に所定値ｄを加算して循環水温判定閾値を３＋ｄ［℃］に補正する（ステップＳ２６）。
【００４３】
次に、外気温度センサ４２によって検出される外気温度が外気温度判定閾値（ここでは、４＋ｃ［℃］）以下であるか否かを判定する。あるいは循環水温度センサ４１によって検出される循環水温度（循環水温）が循環水温判定閾値（ここでは、３＋ｄ［℃］）以下であるか否かを判定する（ステップＳ２７）。
【００４４】
この判定結果がＮＯの場合、Ｓ２７の判定を繰り返し実施する。また、ステップＳ２７の判定結果がＹＥＳの場合、往配管３２、復配管３３内の湯水の凍結の可能性があるため、ステップＳ４０以下の配管凍結防止制御が開始される。
【００４５】
つまり、ステップＳ１０にて、外気温度センサ４２によって検出される外気温度が外気温度判定閾値よりも高く、かつ、循環水温度センサ４１によって検出される循環水温が循環水温判定閾値よりも高いと判定された場合でも、ステップＳ２３にて、単位時間当たりの外気温度の低下量が閾値よりも大きいと判定された場合には、ステップＳ４０以下の配管凍結防止制御が開始される。
【００４６】
ステップＳ４０では、循環水温検出を行う。すなわち、配管凍結防止制御の開始時に、コンプレッサ５の運転を停止すると共に、給水ポンプ７を所定回転数Ｃで運転する（ステップＳ４０）。次に、配管凍結防止制御を開始してから所定時間Ｃが経過しているか否かを判定する（ステップＳ５０）。この判定結果がＮＯの場合には、ステップＳ４０〜ステップＳ５０の制御処理を繰り返す。
【００４７】
また、ステップＳ５０の判定結果がＹＥＳの場合には、最低水温検出を行う。すなわち、循環水温度センサ４１によって循環水の最低水温を検出する。そして、コンプレッサ５の運転を停止すると共に、給水ポンプ７を所定回転数Ｃで運転する（ステップＳ６０）。
【００４８】
次に、最低水温検出を開始してから所定時間Ｄが経過しているか否かを判定する（ステップＳ７０）。この判定結果がＮＯの場合には、ステップＳ６０〜Ｓ７０の制御処理を繰り返す。
【００４９】
また、ステップＳ７０の判定結果がＹＥＳの場合には、所定時間Ｄが経過するまでの間に検出した最低水温が所定温度以下であるか否かを判定する（ステップＳ８０）。この判定結果がＮＯの場合には、ステップＳ１５０の放置の処理を行う。また、ステップＳ８０の判定結果がＹＥＳの場合には、循環水昇温を行う。すなわち、コンプレッサ５を所定回転数Ｄで運転すると共に、給水ポンプ７を所定回転数Ｅで運転し、第２循環経路２４内の循環水を昇温する（ステップＳ９０）。次に、循環水昇温を開始してから所定時間Ｅが経過しているか否かを判定する（ステップＳ１００）。この判定結果がＮＯの場合には、ステップＳ９０〜Ｓ１００の制御処理を繰り返す。
【００５０】
また、ステップＳ１００の判定結果がＹＥＳの場合には、余熱循環を行う。すなわち、コンプレッサ５の運転を停止すると共に、給水ポンプ７を所定回転数Ｅで運転し、高圧側熱交換器２１内の余熱回収および循環水温の均一化を図る（ステップＳ１１０）。次に、余熱循環を開始してから所定時間Ｆが経過しているか否かを判定する（ステップＳ１２０）。この判定結果がＮＯの場合には、ステップＳ１１０〜Ｓ１２０の制御処理を繰り返す。
【００５１】
また、ステップＳ１２０の判定結果がＹＥＳの場合には、最低水温検出を行う。すなわち、コンプレッサ５の運転を停止すると共に、給水ポンプ７を所定回転数Ｅで運転する。そして、循環水温度センサ４１によって循環水の最低水温を検出する（ステップＳ１３０）。次に、最低水温検出を開始してから所定時間Ｇが経過しているか否かを判定する（ステップＳ１４０）。この判定結果がＮＯの場合には、ステップＳ１３０〜Ｓ１４０の制御処理を繰り返す。
【００５２】
次に、放置を行う。すなわち、最低水温、外気温度のそれぞれの検出直前の温度により放置時間（所定時間）Ｈを決定する（ステップＳ１５０）。次に、コンプレッサ５の運転を停止すると共に、給水ポンプ７の運転を停止する。そして、放置を開始してから所定時間Ｈが経過しているか否かを判定する（ステップＳ１６０）。この判定結果がＮＯの場合には、ステップＳ１５０〜Ｓ１６０の制御処理を繰り返し、また、ステップＳ１６０の判定結果がＹＥＳの場合には、沸き上げ運転停止中の配管凍結防止制御を終了し、図２および図３の制御ルーチンを抜ける（リターンする）。
【００５３】
以上、説明したように、本実施形態の貯湯式給湯機は、湯水を加熱する熱源機６と、熱源機で加熱された湯水を貯留するとともに所定の給水箇所に湯水を供給するための貯湯槽９と、を備えている。また、熱源機６で加熱された湯水を貯湯槽９に循環供給する給水ポンプ７と、熱源機６より流出した湯水を、貯湯槽９を経て再び熱源機に戻すための湯水循環回路４と、を備えている。また、湯水循環回路４を循環する湯水の温度を検出する循環水温度検出部４１と、湯水循環回路４から所定を上回る放熱による湯水循環回路内の湯水の凍結の可能性があるか否かを判定する凍結可能性判定部Ｓ２０〜Ｓ２５と、を備えている。また、温度検出開始条件を満たしたか否かを判定する開始条件判定部Ｓ１０と、開始条件判定部により温度検出開始条件を満たしたと判定されたときに、給水ポンプを作動させて循環水温度検出部による湯水循環回路を循環する湯水の温度検出を実施する循環水温検出部Ｓ４０と、を備えている。そして、凍結可能性判定部により湯水循環回路から所定を上回る放熱による湯水循環回路内の湯水の凍結の可能性があると判定された場合、循環水温検出部による湯水の温度検出が実施され易くなるよう温度検出開始条件を変更する条件変更部Ｓ２６を備えている。
【００５４】
したがって、凍結可能性判定部により湯水循環回路から所定を上回る放熱による湯水循環回路内の湯水の凍結の可能性があると判定された場合、循環水温検出部による湯水の温度検出が実施され易くなるよう温度検出開始条件が変更されるので、常に給水ポンプを作動させることなく、より確実に循環回路内の湯水の凍結を防止することができる。
【００５５】
また、本実施形態の貯湯式給湯機は、外気温度を検出する外気温度検出部４２を備えている。そして、開始条件判定部は、前記外気温度検出部４２により検出された前記外気温度が外気温度判定閾値以下であることと、前記循環水温度検出部により検出された前記湯水循環回路を循環する前記湯水の温度が循環水温判定閾値以下であることの少なくとも一方を前記温度検出開始条件として、前記温度検出開始条件を満たしたか否かを判定する。このように、温度検出開始条件を満たしたか否かを判定することもできる。
【００５６】
また、前記条件変更部は、前記外気温度判定閾値および前記循環水温判定閾値の少なくとも一方の閾値を大きくするよう補正する。このように、外気温度判定閾値および循環水温判定閾値の少なくとも一方の閾値を大きくすることで、循環水温検出部による湯水の温度検出が実施され易くなるよう温度検出開始条件を変更することができる。
【００５７】
（第２実施形態）
本実施形態の貯湯式給湯機の構成は、図１に示した給湯機と比較して、送風ファン１４が、電子制御ユニット１０からの制御によって回転駆動していない状態のときに、送風ファン１４の回転数を示す信号を電子制御ユニット１０へ出力するようになっている点が異なる。例えば、強風によって送風ファン１４が回転すると、送風ファン１４から電子制御ユニット１０へファンの回転数を示す信号が出力されるようになっている。
【００５８】
次に、本実施形態の電子制御ユニット１０による配管凍結防止制御について、図７を用いて説明する。通常沸き上げ運転の停止中に、所定の制御タイミングに入ると、図７の制御ルーチンが起動する。先ず、電子制御ユニット１０は、電子制御ユニット１０は、外気温度が外気温度判定閾値以下であることと、循環水温度検出部により検出された湯水循環回路を循環する湯水の温度が循環水温判定閾値以下であることの少なくとも一方を温度検出開始条件として、温度検出開始条件を満たしたか否かを判定する（ステップＳ１０）。具体的には、外気温度センサ４２によって検出される外気温度が外気温度判定閾値（ここでは、４℃）以下であるか否かを判定する。あるいは循環水温度センサ４１によって検出される循環水温度（循環水温）が循環水温判定閾値（ここでは、３℃）以下であるか否かを判定する（ステップＳ１０）。
【００５９】
この判定結果がＮＯの場合、すなわち、外気温度センサ４２によって検出される外気温度が外気温度判定閾値よりも高く、かつ、循環水温度センサ４１によって検出される循環水温が循環水温判定閾値よりも高い場合には、ステップＳ２４以下の制御が開始される。
【００６０】
このステップＳ２４以下の制御では、湯水循環回路４から所定を上回る放熱による湯水循環回路４内の湯水の凍結の可能性があるか否かを判定する。本実施形態では、送風ファン１４から出力される送風ファン１４の回転数を示す信号に基づいて送風ファン１４の回転数Ｆｉｎ＝Ｆ１としてを特定する（ステップＳ２４）。そして、送風ファン１４の回転数Ｆ１が所定値ｂ以上であるか否かを判定する（ステップＳ２５）。
【００６１】
この判定結果がＹＥＳの場合、すなわち、送風ファン１４の回転数Ｆ１が所定値ｂ以上である場合、ステップＳ４０の循環水温検出を行う。
【００６２】
つまり、外気温度センサ４２によって検出される外気温度が外気温度判定閾値よりも高く、かつ、循環水温度センサ４１によって検出される循環水温が循環水温判定閾値よりも高い場合でも、強風によって送風ファン１４の回転数が所定値ｂ以上となった場合には、ステップＳ４０の循環水温検出が行われる。
【００６３】
また、ステップＳ２５の判定結果がＮＯの場合、すなわち、送風ファン１４の回転数Ｆ１が所定値ｂよりも少ない場合には、ステップＳ４０の循環水温検出が行われることなくステップＳ１０へ戻る。
【００６４】
図８に示すように、強風時に外気温度が低下して、実際の外気温度および配管最低水温が０℃以下になるような場合でも、外気サーミスタ温度が０℃よりも高くなる場合がある。このような状況では、湯水循環回路４内の湯水の凍結することが考えられる。
【００６５】
しかし、本実施形態の貯湯式給湯機は、送風ファン１４の回転数Ｆ１が所定値ｂ以上である場合、湯水循環回路４から所定を上回る放熱による湯水循環回路４内の湯水の凍結の可能性があると判定され、ステップＳ４０の循環水温検出が行われ、さらに、ステップＳ９０の循環水昇温が行われる。したがって、湯水循環回路４内の湯水の凍結することが防止される。
【００６６】
以上、説明したように、本実施形態の貯湯式給湯機は、外気と熱媒体との熱交換を行う熱交換器１２に向けて外気を送風する送風ファン１４と、送風ファン１４を回転駆動しない状態で送風ファン１４の回転数を検出するファン回転数検出部Ｓ２４と、を備えている。
【００６７】
また、凍結可能性判定部は、ファン回転数検出部により検出された送風ファンの回転数が所定値以上である場合、湯水循環回路４から所定を上回る放熱による湯水循環回路４の凍結の可能性があると判定する。
【００６８】
このように、外気と熱媒体との熱交換を行う熱交換器１２に向けて外気を送風する送風ファン１４の送風ファンの回転数が所定値以上である場合、湯水循環回路４から所定を上回る放熱による湯水循環回路４内の湯水の凍結の可能性があると判定することができる。
【００６９】
また、既存の設備である送風ファン１４を用いて湯水循環回路４から所定を上回る放熱による湯水循環回路内の湯水の凍結の可能性がある化否かを判定することができる。
【００７０】
（第３実施形態）
本実施形態の貯湯式給湯機の構成は、上記第２実施形態の給湯機と同じになっている。本実施形態の貯湯式給湯機の構成は、上記第２実施形態の給湯機と比較して、電子制御ユニット１０による制御が異なる。
【００７１】
本実施形態の電子制御ユニット１０による配管凍結防止制御について、図９を用いて説明する。通常沸き上げ運転の停止中に、所定の制御タイミングに入ると、図９の制御ルーチンが起動する。先ず、電子制御ユニット１０は、外気温度が外気温度判定閾値以下であることと、循環水温度検出部により検出された湯水循環回路を循環する湯水の温度が循環水温判定閾値以下であることの少なくとも一方を温度検出開始条件として、温度検出開始条件を満たしたか否かを判定する（ステップＳ１０）。具体的には、電子制御ユニット１０は、外気温度センサ４２によって検出される外気温度が外気温度判定閾値（ここでは、４℃）以下であるか否かを判定する。あるいは循環水温度センサ４１によって検出される循環水温度（循環水温）が循環水温判定閾値（ここでは、３℃）以下であるか否かを判定する（ステップＳ１０）。
【００７２】
この判定結果がＮＯの場合、すなわち、外気温度センサ４２によって検出される外気温度が外気温度判定閾値よりも高く、かつ、循環水温度センサ４１によって検出される循環水温が循環水温判定閾値よりも高い場合には、ステップＳ２４以下の制御が開始される。
【００７３】
このステップＳ２４以下の制御では、湯水循環回路４から所定を上回る放熱による湯水循環回路４内の湯水の凍結の可能性があるか否かを判定する。本実施形態では、送風ファン１４から出力される送風ファン１４の回転数を示す信号に基づいて送風ファン１４の回転数Ｆｉｎ＝Ｆ１としてを特定する（ステップＳ２４）。そして、送風ファン１４の回転数Ｆ１が所定値ｂ以上であるか否かを判定する（ステップＳ２５）。
【００７４】
この判定結果がＹＥＳの場合、すなわち、送風ファン１４の回転数Ｆ１が所定値ｂ以上である場合、湯水の温度検出が実施され易くなるよう温度検出開始条件を変更する循環水温判定値補正を行う。具体的には、ステップＳ１０の外気温度判定閾値（ここでは、４℃）に所定値ｃを加算して、外気温度判定閾値を４＋ｃ［℃］に補正する。さらに、ステップＳ１０の循環水温判定閾値（ここでは、３［℃］）に所定値ｄを加算して循環水温判定閾値を３＋ｄ［℃］に補正する（ステップＳ２６）。
【００７５】
次に、外気温度センサ４２によって検出される外気温度が外気温度判定閾値（ここでは、４＋ｃ［℃］）以下であるか否かを判定する。あるいは循環水温度センサ４１によって検出される循環水温度（循環水温）が循環水温判定閾値（ここでは、３＋ｄ［℃］）以下であるか否かを判定する（ステップＳ２７）。
【００７６】
この判定結果がＮＯの場合、Ｓ２７の判定を繰り返し実施する。また、ステップＳ２７の判定結果がＹＥＳの場合、ステップＳ４０の循環水温検出を行う。
【００７７】
つまり、外気温度センサ４２によって検出される外気温度が外気温度判定閾値よりも高く、かつ、循環水温度センサ４１によって検出される循環水温が循環水温判定閾値よりも高い場合でも、強風によって送風ファン１４の回転数が所定値ｂ以上となった場合には、外気温度判定閾値および循環水温判定閾値が大きくなるように補正され、これらの判定閾値を用いて外気温度および循環水温の判定が行われる。
【００７８】
以上、説明したように、本実施形態の貯湯式給湯機は、湯水を加熱する熱源機６と、熱源機６で加熱された湯水を貯留するとともに所定の給水箇所に湯水を供給するための貯湯槽９と、を備えている。
【００７９】
また、熱源機６で加熱された湯水を貯湯槽９に循環供給する給水ポンプ７と、熱源機６より流出した湯水を、貯湯槽を経て再び熱源機に戻すための湯水循環回路４と、湯水循環回路４を循環する湯水の温度を検出する循環水温度検出部４１と、を備えている。
【００８０】
また、湯水循環回路４から所定を上回る放熱による湯水循環回路内の湯水の凍結の可能性があるか否かを判定する凍結可能性判定部Ｓ２０〜Ｓ２５と、温度検出開始条件を満たしたか否かを判定する開始条件判定部Ｓ１０と、を備えている。
【００８１】
また、開始条件判定部により温度検出開始条件を満たしたと判定されたときに、給水ポンプを作動させて循環水温度検出部による湯水循環回路を循環する湯水の温度検出を実施する循環水温検出部Ｓ４０を備えている。
【００８２】
また、凍結可能性判定部により湯水循環回路から所定を上回る放熱による湯水循環回路内の湯水の凍結の可能性があると判定された場合、循環水温検出部による湯水の温度検出が実施され易くなるよう温度検出開始条件を変更する条件変更部Ｓ２６を備えている。
【００８３】
このような構成によれば、凍結可能性判定部により湯水循環回路から所定を上回る放熱による湯水循環回路内の湯水の凍結の可能性があると判定された場合、条件変更部により、循環水温検出部による湯水の温度検出が実施され易くなるよう温度検出開始条件が変更されるので、より確実に循環回路内の湯水の凍結を防止することができる。
【００８４】
（第４実施形態）
本実施形態の貯湯式給湯機の構成は、上記第２実施形態の給湯機と同じになっている。本実施形態の貯湯式給湯機の構成は、上記第２実施形態の給湯機と比較して、電子制御ユニット１０による制御が異なる。
【００８５】
次に、本実施形態の電子制御ユニット１０による配管凍結防止制御について、図１０を用いて説明する。通常沸き上げ運転の停止中に、図１０の制御ルーチンが繰り返し起動される。先ず、電子制御ユニット１０は、電子制御ユニット１０は、外気温度が外気温度判定閾値以下であることと、循環水温度検出部により検出された湯水循環回路を循環する湯水の温度が循環水温判定閾値以下であることの少なくとも一方を温度検出開始条件として、温度検出開始条件を満たしたか否かを判定する（ステップＳ１０）。具体的には、外気温度センサ４２によって検出される外気温度が外気温度判定閾値（ここでは、４℃）以下であるか否かを判定する。あるいは循環水温度センサ４１によって検出される循環水温度（循環水温）が循環水温判定閾値（ここでは、３℃）以下であるか否かを判定する（ステップＳ１０）。
【００８６】
この判定結果がＮＯの場合、すなわち、外気温度センサ４２によって検出される外気温度が外気温度判定閾値よりも高く、かつ、循環水温度センサ４１によって検出される循環水温が循環水温判定閾値よりも高い場合には、ステップＳ４０の循環水温検出を行う。すなわち、コンプレッサ５の運転を停止すると共に、給水ポンプ７を所定回転数Ｃで運転する。この際、循環水温度センサ４１によって循環水の最低水温も検出する。
【００８７】
次に、ステップＳ４０にて検出した循環水温をＲＡＭに記憶させる。なお、循環水の最低水温についてもＲＡＭに記憶させる（ステップＳ３１）。
【００８８】
次に、ステップＳ４０にて検出した循環水の最低水温が所定温度以下であるか否かを判定する（ステップＳ３２）。
【００８９】
この判定結果がＹＥＳとなった場合、すなわち、循環水の最低水温が所定温度以下となっている場合、ステップＳ９０以下の制御が開始される。したがって、ヒートポンプサイクル３によって加熱された湯水が貯湯槽９に貯湯される。また、湯水循環回路４内の湯水の凍結が防止される。
【００９０】
また、ステップＳ３２の判定結果がＮＯとなった場合、すなわち、循環水の最低水温が所定温度よりも高くなっている場合、循環水の最低水温と外気温度に基づいて放置時間Ｈを決定する（ステップＳ３３）。なお、循環水の最低水温が低いほど放置時間Ｈを短くする。また、外気温度が低いほど放置時間Ｈを短くする。
【００９１】
次のステップＳ３４の制御では、湯水循環回路４から所定を上回る放熱による湯水循環回路４内の湯水の凍結の可能性があるか否かを判定する。具体的には、前回、検出した循環水の最低水温ｋ（ｔ−１）と、今回、検出した循環水の最低水温ｋ（ｔ）との差ｋ（ｔ−１）−ｋ（ｔ）が所定値ｚ以上であるか否かを判定する。なお、前回、検出した循環水の最低水温ｋ（ｔ−１）は、繰り返し実施される図１０のフローにおける、前回のフローのステップＳ３１にて、ＲＡＭに記憶された循環水の最低水温である。また、今回、検出した循環水の最低水温ｋ（ｔ）は、今回のフローのステップＳ４０にて検出した循環水の最低水温である。
【００９２】
この判定結果がＹＥＳの場合、すなわち、循環水の最低水温が急激に低下しており、ｋ（ｔ−１）−ｋ（ｔ）が所定値ｚ以上となった場合、放置時間ＨをＨ’に補正する（ステップＳ３５）。具体的には、放置時間Ｈを、より短い放置時間Ｈ’に補正する。
【００９３】
また、ステップＳ３４の判定結果がＮＯの場合、すなわち、ｋ（ｔ−１）−ｋ（ｔ）が所定値ｚよりも小さい場合、あるいは、ｋ（ｔ−１）−ｋ（ｔ）が負の値となった場合には、放置時間Ｈを補正することなく、ステップＳ１５０の制御が開始される。
【００９４】
次のステップＳ１５０では、放置を行う。具体的には、コンプレッサ５の運転を停止すると共に、給水ポンプ７の運転を停止する。そして、放置を開始してから所定時間が経過しているか否かを判定する（ステップＳ１６０）。この判定結果がＮＯの場合には、ステップＳ１５０〜Ｓ１６０の制御処理を繰り返し、また、ステップＳ１６０の判定結果がＹＥＳの場合には、沸き上げ運転停止中の配管凍結防止制御を終了し、図１０の制御ルーチンを抜ける（リターンする）。そして、図１０の制御ルーチンを抜けた直後に再度、図１０に示すフローが開始される。
【００９５】
以上、説明したように、本実施形態の貯湯式給湯機は、湯水を加熱する熱源機６と、熱源機６で加熱された湯水を貯留するとともに所定の給水箇所に湯水を供給するための貯湯槽９と、を備えている。また、熱源機６で加熱された湯水を貯湯槽９に循環供給する給水ポンプ７と、熱源機６より流出した湯水を、貯湯槽９を経て再び熱源機６に戻すための湯水循環回路２３と、を備えている。また、湯水循環回路２３を循環する湯水の温度を検出する温度検出部４１と、所定時間間隔毎に、給水ポンプ７を作動させて循環水温度検出部による湯水循環回路２３を循環する湯水の温度検出を実施する循環水温検出部Ｓ４０、Ｓ３５と、を備えている。また、湯水循環回路２から所定を上回る放熱による湯水循環回路２３内の湯水の凍結の可能性があるか否かを判定する凍結可能性判定部Ｓ２４〜Ｓ２５、Ｓ３５と、を備えている。そして、循環水温検出部は、凍結可能性判定部により湯水循環回路から所定を上回る放熱による湯水循環回路内の湯水の凍結の可能性があると判定された場合、所定時間間隔を短くするよう補正して循環水温度検出部による湯水循環回路を循環する湯水の温度検出を実施する。
【００９６】
上記した構成によれば、湯水循環回路から所定を上回る放熱による湯水循環回路内の湯水の凍結の可能性があるか否かを判定し、湯水循環回路から所定を上回る放熱による湯水循環回路内の湯水の凍結の可能性があると判定された場合、所定時間間隔を短くなるよう補正して循環水温度検出部による湯水循環回路を循環する湯水の温度検出を実施するので、常に給水ポンプを作動させることなく、より確実に循環回路内の湯水の凍結を防止することができる。
【００９７】
（第５実施形態）
本実施形態の貯湯式給湯機の構成は、上記第２実施形態の給湯機と同じになっている。本実施形態の貯湯式給湯機の構成は、上記第２実施形態の給湯機と比較して、電子制御ユニット１０による制御が異なる。
【００９８】
次に、本実施形態の電子制御ユニット１０による配管凍結防止制御について、図１１を用いて説明する。通常沸き上げ運転の停止中に、図１１の制御ルーチンが繰り返し起動される。先ず、電子制御ユニット１０は、電子制御ユニット１０は、外気温度が外気温度判定閾値以下であることと、循環水温度検出部により検出された湯水循環回路を循環する湯水の温度が循環水温判定閾値以下であることの少なくとも一方を温度検出開始条件として、温度検出開始条件を満たしたか否かを判定する（ステップＳ１０）。具体的には、外気温度センサ４２によって検出される外気温度が外気温度判定閾値（ここでは、４℃）以下であるか否かを判定する。あるいは循環水温度センサ４１によって検出される循環水温度（循環水温）が循環水温判定閾値（ここでは、３℃）以下であるか否かを判定する（ステップＳ１０）。
【００９９】
この判定結果がＮＯの場合、すなわち、外気温度センサ４２によって検出される外気温度が外気温度判定閾値よりも高く、かつ、循環水温度センサ４１によって検出される循環水温が循環水温判定閾値よりも高い場合には、ステップＳ４０の循環水温検出を行う。すなわち、コンプレッサ５の運転を停止すると共に、給水ポンプ７を所定回転数Ｃで運転する。この際、循環水温度センサ４１によって循環水の最低水温も検出する。
【０１００】
次に、循環水の最低水温が所定温度以下であるか否かを判定する（ステップＳ３２）。この判定結果がＹＥＳとなった場合、すなわち、循環水の最低水温が所定温度以下となっている場合、ステップＳ９０以下の制御が開始される。したがって、ヒートポンプサイクル３によって加熱された湯水が貯湯槽９に貯湯される。また、湯水循環回路４内の湯水の凍結が防止される。
【０１０１】
また、ステップＳ３２の判定結果がＮＯとなった場合、すなわち、循環水の最低水温が所定温度よりも高くなっている場合、循環水の最低水温と外気温度に基づいて放置時間Ｈを決定する（ステップＳ３３）。なお、循環水の最低水温が低いほど放置時間Ｈを短くする。また、外気温度が低いほど放置時間Ｈを短くする。
【０１０２】
次に、ステップＳ２４以下の制御が開始される。このステップＳ２４以下の制御では、湯水循環回路４から所定を上回る放熱による湯水循環回路４内の湯水の凍結の可能性があるか否かを判定する。本実施形態では、送風ファン１４から出力される送風ファン１４の回転数を示す信号に基づいて送風ファン１４の回転数Ｆｉｎ＝Ｆ１としてを特定する（ステップＳ２４）。そして、送風ファン１４の回転数Ｆ１が所定値ｂ以上であるか否かを判定する（ステップＳ２５）。
【０１０３】
この判定結果がＹＥＳの場合、すなわち、送風ファン１４の回転数Ｆ１が所定値ｂ以上である場合、放置時間ＨをＨ’に補正する（ステップＳ３５）。具体的には、放置時間Ｈを、より短い放置時間Ｈ’に補正する。
【０１０４】
また、ステップＳ２５の判定結果がＮＯの場合、すなわち、送風ファン１４の回転数Ｆ１が所定値ｂよりも少ない場合、放置時間Ｈを補正することなく、ステップＳ１５０の制御が開始される。
【０１０５】
以上、説明したように、本実施形態の貯湯式給湯機は、送風ファン１４の回転数に基づいて湯水循環回路４から所定を上回る放熱による湯水循環回路４内の湯水の凍結の可能性があると判定さた場合、所定時間間隔を短くなるよう補正して循環水温度検出部による湯水循環回路４を循環する湯水の温度検出を実施する。
【０１０６】
このように、送風ファン１４の回転数に基づいて湯水循環回路４から所定を上回る放熱による湯水循環回路４内の湯水の凍結の可能性があると判定した場合、所定時間間隔を短くなるよう補正して循環水温度検出部による湯水循環回路４を循環する湯水の温度検出を実施することができる。
【０１０７】
（他の実施形態）
（１）上記各実施形態では、熱源ユニットとして臨界温度の低いＣＯ2を冷媒とするヒートポンプサイクル３を使用しているが、熱源ユニットとしてＲ２２を冷媒とするヒートポンプサイクルを使用しても良く、また、熱源器としてガスバーナ、石油バーナ、電気ヒータ等の熱源器を使用しても良い。なお、熱源器用タンク内に熱源器としての電気ヒータを内蔵し、熱源器用タンク内の循環水を直接加熱するようにした貯湯式給湯機においては、水−冷媒熱交換器６、つまり給湯用熱交換器２２を廃止することができる。
【０１０８】
（２）上記第３実施形態では、Ｓ２６にて、外気温度判定閾値および循環水温判定閾値を大きくするよう補正するようにしたが、外気温度判定閾値および循環水温判定閾値の少なくとも一方を大きくするよう補正してもよい。
【０１０９】
（３）上記第３実施形態では、送風ファン１４の回転数が所定値ｂ以上であるか否かを判定し、送風ファン１４の回転数が所定値ｂ以上であると判定された場合、Ｓ２６にて、外気温度判定閾値および循環水温判定閾値を大きくするよう補正するようにした。
【０１１０】
これに対し、上記第１実施形態のステップＳ２３に示したように、単位時間当たりの外気温度の低下量が所定値以上となったか否かを判定し、単位時間当たりの外気温度の低下量が所定値以上となった場合、ステップＳ２６にて、外気温度判定閾値および循環水温判定閾値を大きくするよう補正するようにしてもよい。
【０１１１】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１１２】
（まとめ）
上記各実施形態の一部または全部で示された第１の観点によれば、貯湯式給湯機は、湯水を加熱する熱源機と、熱源機で加熱された湯水を貯留するとともに所定の給水箇所に湯水を供給するための貯湯槽と、を備えている。また、熱源機で加熱された湯水を貯湯槽に循環供給する給水ポンプと、熱源機より流出した湯水を、貯湯槽を経て再び熱源機に戻すための湯水循環回路と、を備えている。また、湯水循環回路を循環する湯水の温度を検出する循環水温度検出部と、湯水循環回路から所定を上回る放熱による湯水循環回路内の湯水の凍結の可能性があるか否かを判定する凍結可能性判定部と、温度検出開始条件を満たしたか否かを判定する開始条件判定部と、を備えている。
【０１１３】
また、開始条件判定部により温度検出開始条件を満たしたと判定されたときに、給水ポンプを作動させて循環水温度検出部による湯水循環回路を循環する湯水の温度検出を実施する循環水温検出部を備えている。また、凍結可能性判定部により湯水循環回路から所定を上回る放熱による湯水循環回路内の湯水の凍結の可能性があると判定された場合、循環水温検出部による湯水の温度検出が実施され易くなるよう温度検出開始条件を変更する条件変更部を備えている。
【０１１４】
また、第２の観点によれば、貯湯式給湯機は、外気温度を検出する外気温度検出部を備えている。また、開始条件判定部は、外気温度検出部により検出された外気温度が外気温度判定閾値以下であることと、循環水温度検出部により検出された湯水循環回路を循環する湯水の温度が循環水温判定閾値以下であることの少なくとも一方を温度検出開始条件として、温度検出開始条件を満たしたか否かを判定する。このように、温度検出開始条件を満たしたか否かを判定することができる。
【０１１５】
また、第３の観点によれば、条件変更部は、外気温度判定閾値および循環水温判定閾値の少なくとも一方の閾値を大きくするよう補正する。このように、外気温度判定閾値および循環水温判定閾値の少なくとも一方の閾値を大きくすることで、循環水温検出部による湯水の温度検出が実施され易くなるよう温度検出開始条件を変更することができる。
【０１１６】
また、第４の観点によれば、貯湯式給湯機は、湯水を加熱する熱源機と、熱源機で加熱された湯水を貯留するとともに所定の給水箇所に湯水を供給するための貯湯槽と、熱源機で加熱された湯水を貯湯槽に循環供給する給水ポンプと、を備えている。また、熱源機より流出した湯水を、貯湯槽を経て再び熱源機に戻すための湯水循環回路と、湯水循環回路を循環する湯水の温度を検出する温度検出部と、を備えている。また、所定時間間隔毎に、給水ポンプを作動させて循環水温度検出部による湯水循環回路を循環する湯水の温度検出を実施する循環水温検出部を備えている。
【０１１７】
また、湯水循環回路から所定を上回る放熱による湯水循環回路内の湯水の凍結の可能性があるか否かを判定する凍結可能性判定部を備えている。
【０１１８】
また、循環水温検出部は、凍結可能性判定部により湯水循環回路から所定を上回る放熱による湯水循環回路内の湯水の凍結の可能性があると判定された場合、所定時間間隔を短くなるよう補正して循環水温度検出部による湯水循環回路を循環する湯水の温度検出を実施する。
【０１１９】
また、第５の観点によれば、凍結可能性判定部は、外気温度を周期的に収集し、単位時間当たりの外気温度の低下量が所定値以上となった場合、湯水循環回路から所定を上回る放熱による湯水循環回路内の湯水の凍結の可能性があると判定する。
【０１２０】
このように、単位時間当たりの外気温度の低下量が所定値以上となった場合、湯水循環回路から所定を上回る放熱による湯水循環回路内の湯水の凍結の可能性があると判定することができる。
【０１２１】
また、第６の観点によれば、貯湯式給湯機は、循環水温検出部により検出された湯水循環回路を循環する湯水の温度を記憶部に記憶させる温度記憶部を備えている。また、記憶部に記憶された湯水循環回路を循環する湯水の温度を用いて、今回、循環水温検出部により検出された湯水循環回路を循環する湯水の温度が、前回、循環水温検出部により検出された湯水循環回路を循環する湯水の温度よりも所定温度以上低いか否かを判定する判定部を備えている。
【０１２２】
そして、凍結可能性判定部は、判定部により、今回、循環水温検出部により検出された湯水循環回路を循環する湯水の温度が、前回、循環水温検出部により検出された湯水循環回路を循環する湯水の温度よりも所定温度以上低いと判定された場合、湯水循環回路から所定を上回る放熱による湯水循環回路内の湯水の凍結の可能性があると判定する。
【０１２３】
このように、判定部により、今回、循環水温検出部により検出された湯水循環回路を循環する湯水の温度が、前回、循環水温検出部により検出された湯水循環回路を循環する湯水の温度よりも所定温度以上低いと判定された場合、凍結可能性判定部は、湯水循環回路から所定を上回る放熱による湯水循環回路内の湯水の凍結の可能性があると判定することができる。
【０１２４】
また、第７の観点によれば、貯湯式給湯機は、外気と熱媒体との熱交換を行う熱交換器に向けて外気を送風する送風ファンと、送風ファンを回転駆動しない状態で送風ファンの回転数を検出するファン回転数検出部と、を備えている。
【０１２５】
そして、凍結可能性判定部は、ファン回転数検出部により検出されたファンの回転数が所定値以上である場合、湯水循環回路から所定を上回る放熱による湯水循環回路内の湯水の凍結の可能性があると判定する。
【０１２６】
このように、ファン回転数検出部により検出されたファンの回転数が所定値以上である場合、凍結可能性判定部は、湯水循環回路から所定を上回る放熱による湯水循環回路内の湯水の凍結の可能性があると判定することができる。また、既存の設備である送風ファンを用いて湯水循環回路から所定を上回る放熱による湯水循環回路内の湯水の凍結の可能性がある化否かを判定することができる。
【０１２７】
なお、上記実施形態における構成と特許請求の範囲の構成との対応関係について説明すると、循環水温度センサ４１が温度検出部に相当し、Ｓ１０の処理が開始条件判定部に相当し、Ｓ２０〜Ｓ２５、Ｓ３５の処理が凍結可能性判定部に相当し、Ｓ４０、Ｓ３５が循環水温検出部に相当する。また、外気温度センサ４２が外気温度検出部に相当し、Ｓ２６の処理が条件変更部に相当し、Ｓ３１の処理が温度記憶部に相当し、Ｓ３４の処理が判定部に相当し、Ｓ２４の処理がファン回転数検出部に相当する。
【符号の説明】
【０１２８】
１    ヒートポンプユニット
２    貯湯槽ユニット
３    ヒートポンプサイクル
４    湯水循環回路
５    コンプレッサ
６    冷媒熱交換器
７    給水ポンプ
９    貯湯槽
１０  電子制御ユニット
１２  空気熱交換器
１４  送風ファン
４１  循環水温度センサ
４２  外気温度センサ
【図１】
2019184132.tif 000003
【図２】
2019184132.tif 000004
【図３】
2019184132.tif 000005
【図４】
2019184132.tif 000006
【図５】
2019184132.tif 000007
【図６】
2019184132.tif 000008
【図７】
2019184132.tif 000009
【図８】
2019184132.tif 000010
【図９】
2019184132.tif 000011
【図１０】
2019184132.tif 000012
【図１１】
2019184132.tif 000013